Podtech/llm-jp-corpus-v4-ja_patent huggingface dataset:
(57)【要約】      （修正有）【課題】風を利用し、自然エネルギーを使うことで、有害物質を出さずに発電でき、小型で低価格な横軸型風力発電機用タービンを提供する。【解決手段】発電装置に連結する回転軸３と、回転軸の円周方向に設置した複数の回転翼羽根１と、回転翼羽根の側面に設けた風受け窪み２に引き込む吸入口Ａと、回転軸を回転させた後、風が吹き出る排出口Ｂと、吸入口と排出口に連結され、回転翼羽根を取り囲むように設置された風避けカバー５とを備える。必要な風だけを有効に利用する風避けカバーを取り付ける事で発電効率が上がる。【選択図】図１
0003196037.tif 000002
【実用新案登録請求の範囲】
【請求項１】
発電装置に連結する回転軸と、回転軸の円周方向に設置した複数の回転翼羽根と、
当該回転翼羽根の側面に設けた風受け窪みに引き込む吸入口と、
回転軸を回転させた後、風が吹き出る排出口と、
吸入口と排出口に連結され、回転翼羽根を取り囲むように設置された風避けカバーとを備えた、
ことを特徴とする横軸型風力発電機用タービン。
【考案の詳細な説明】
【技術分野】
【０００１】  本考案は、温暖化防止に役立ち、自然エネルギーを利用し、二酸化炭素を発生させない風力発電機用タービンに関するものである。
【背景技術】
【０００２】  従来の風力発電は、風向きを予測しその方向に設置しプロペラを回転させて発電させていたものが知られている。
【先行技術文献】
【特許文献】
【０００３】
【特許文献１】  特開２００５−１８８４５５
【特許文献２】  特開２０１１−２７０９９
【考案の概要】
【考案が解決しようとする課題】
【０００４】  これまでの風力発電の方法では、風の方向、風力等、条件を満たす必要があった。また、小型化に出来ないという難点があった。本考案はこれらの課題を解消するためになされたものである。
【課題を解決するための手段】
【０００５】  本考案においては、上記課題を解決するため、風をとらえる事と、風を強める事が大変重要な課題である。そこで、吸入口（Ａ）と送風筒（７）、回転翼羽根（１）の風受け窪み（２）が重要になる。大きく風を吸い込み、狭い所を通す事で風力が増し、回転を強くする。
【考案の効果】
【０００６】  自然エネルギー利用し、生産活動を続ける事は、鉱物資源エネルギーを長期的に有効利用するために必要な技術である。この装置は小型で色々な所で利用できる事が容易であるため、製品、販売コストを大幅に低減させることができる。
【図面の簡単な説明】
【０００７】
【図１】  本考案の側面方向からの断面図
【図２】  本考案の斜視図
【考案を実施するための形態】
【０００８】  以下、本発明の実施の形態について説明する。
風が、吸入口（Ａ）に入り、送風筒（６）で通りが狭くなるため増幅された風が、回転翼羽根（１）の、風受け窪み（２）で受ける、回転を終えた風は風送り羽根（７）で押し出されて、排出口（Ｂ）に出ていく。又、回転翼羽根（１）を回す時に、不必要な風を遮断するため、風避けカバー（５）を取付け、抵抗を受けずに回転軸（３）を回し発電する。なお、底辺に水抜き穴を開ける。
【実施例１】
【０００９】  本考案の使用に際しては、使用目的に沿って色々な大きさの形状に変形して使用することができる。また、高い発電が必要な場合は、本体の横幅を変える事で可能である。さらに、風速が強すぎる時は可動式風力調整弁（４）が回転計と連動して、自動的に調整する。
【産業上の利用可能性】
【００１０】  本考案は、電気エネルギーを駆動源とする装置や機器、自動車、電車を含む種々の産業分野の製品への応用が可能である。また、業務用のみならず家庭用電源としても利用することができ、それぞれの目的に応じた使い方に応じた設置方法が可能である。
【符号の説明】
【００１１】１  回転翼羽根
２  風受け窪み
３  回転軸
４  可動式風力調整弁
５  風避けカバー
６  送風筒
７  風送り羽根
Ａ  吸入口
Ｂ  排出口
【図１】
0003196037.tif 000003
【図２】
0003196037.tif 000004
(57)【要約】      （修正有）【課題】風によって回動させられた、のぼり旗を元の位置に戻す、のぼり旗取り付け具を提供する。【解決手段】支持棒１の中にのぼり旗回動体２と、受け具３を密着させて挿入し、受け具をパイプ上部に密着させ固定することによって、のぼり旗回動体を受け、風で回動させられた、のぼり旗回動体の斜面下部の凸部が風が止んだ時点で受け具の斜面を滑り降り斜面下部の凹部に入り、のぼり旗６を元の位置に戻して広告の文字が裏文字にならないようにした。【選択図】図３
0003196038.tif 000002
【実用新案登録請求の範囲】
【請求項１】
パイプ支持棒（１）の上端に、のぼり旗回動体（２）下部の斜面下側の凸部（２ａ）と、のぼり旗回動体（２）を受ける、のぼり旗回動体受け具（３）を円筒形にし、上部に鍔を設けた吊り下げ式にし、円筒形の上部を鍔の部分までＶ字に切り底部をのぼり旗回動体（２）の下部斜面と下側の凸部（２ａ）に合わせるように斜面と凹部（３ａ）を設け、のぼり旗回動体（２）と、のぼり旗回動体受け具（３）を一体とし、のぼり旗回動体受け具（３）をパイプ支持棒（１）に密着するように鍔まで挿入、固定し、パイプ支持棒（１）に、のぼり旗（６）の縦の乳（７）を介して取り付け、パイプ支持棒（１）の下端はパイプ支持棒建て付け台（８）に固定し、のぼり旗回動体（２）に、のぼり旗（６）の上部の乳（７）を介してパイプ支持棒（１）の軸心に直交する横棒（５）を取り付け、横棒留めネジ（４）で固定することによって、風に吹かれた、のぼり旗（６）とのぼり旗回動体（２）下部の斜面下側の凸部（２ａ）が、のぼり旗回動体受け具（３）の斜面に沿って回動し、風が止んだ時点でのぼり旗回動体（２）の斜面下側の凸部（２ａ）が、のぼり旗回動体受け具（３）の斜面に沿って滑り降り，のぼり旗回動体受け具（３）の斜面下側の凹部（３ａ）に入り、のぼり旗（６）を元の位置に戻す、のぼり旗取り付け具。
【考案の詳細な説明】
【技術分野】
【０００１】  本考案は風によって回動させられた、のぼり旗を元の位置に戻す、のぼり旗取り付け具に関するものである。
【背景技術】
【０００２】広告用である、のぼり旗が風によって回動させられて文字が裏返しになり広告としての目的が十分に果たされていない。
【考案が解決しようとする課題】
【０００３】  従来、のぼり旗は風によって回動させられ、風が止んだ時点で広告面の位置が決まり、一定しないので前述したような不具合を解消できる、のぼり旗の提供が切望されている。
【課題を解決するための手段】
【０００４】  本考案は、のぼり旗回動体（２）の下部を斜めに製作し斜面下部の先端に凸（２ａ）部を設け、のぼり旗回動体（２）を下から受ける、のぼり旗回動体受け具（３）を円筒形にし、上部に鍔を設けた、吊り下げ式にし、円筒形の上部を鍔の部分までＶ字に切り欠き、底部は、のぼり旗回動体（２）の下部斜面や凸部（２ａ）に合わせるように、斜面と凹部（３ａ）を設け、のぼり旗回動体（２）とのぼり旗回動体受け具（３）を合わせ一体とし、パイプ支持棒（１）の上端からパイプ支持棒（１）にのぼり旗回動体受け具（３）を密着するように鍔まで挿入、固定し、のぼり旗（６）をのぼり旗（６）の縦の乳（７）を介してパイプ支持棒（１）に取り付け、パイプ支持棒建て付け台（８）に固定し、のぼり旗回動体（２）に、のぼり旗（６）の上部の乳（７）を介してパイプ支持棒（１）の軸心に直交する横棒（５）を取り付、ジ（４）で固定してなることを特徴とする、のぼり旗取り付け具。
【考案の効果】
【０００５】前述のように、風に吹かれた、のぼり旗（６）と、のぼり旗回動体（２）下部の斜面下側の凸（２ａ）部が、のぼり旗回動体受け具（３）の斜面に沿って回動し、風が止んだ時点で、のぼり旗回動体（２）下部の斜面下側の凸（２ａ）部が、のぼり旗回動体受け具（３）の斜面に沿って滑り降り、のぼり旗回動体受け具（３）の斜面下側の凹（３ａ）部に入り、のぼり旗（６）が一定の方向に向けられることで広告の表面が見られるようになり、のぼり旗の目的が果たされる。
【図面の簡単な説明】
【０００６】
【図１】のぼり旗の実施例を示す正面図である。
【図２】図１の平面図である。
【図３】図２のＡ−Ａ矢視の断面図である。
【図４】図３のＢ−Ｂ矢視の断面図である。
【図５】図４のＣ−Ｃ矢視の断面図である。
【図６】図２のＤ−Ｄ矢視の断面図である。
【図７】図２のＥ−Ｅ矢視の断面図である。
【考案を実施するための形態】
【０００７】  本考案は、のぼり旗回動体（２）下部を斜めに製作し、斜面下側に凸部（２ａ）を設け、のぼり旗回動体（２）を受ける、のぼり旗回動体受け具（３）を円筒形にし、上部に鍔を設けた吊り下げ式にし、円筒形の上部を鍔の部分までＶ字に切り欠き、底部をのぼり旗回動体（２）の下部斜面と、下側の凸部（２ａ）に合わせるように斜面と凹部（３ａ）を設け、のぼり旗回動体（２）とのぼり旗回動体受け具（３）を一体として、パイプ支持棒（１）の上端から、のぼり旗回動体受け具（３）をパイプ支持棒（１）に密着するように鍔まで挿入、固定し、のぼり旗（６）の縦の乳（７）を介してパイプ支持棒（１）に取り付け、パイプ支持棒建て付け台（８）に固定し、のぼり旗回動体（２）に、のぼり旗（６）の上部の乳（７）を介してパイプ支持棒（１）の軸心に直交する横棒（５）を取り付け横棒留めネジ（５）で固定してなることを特徴とする、のぼり旗取り付け具。
【実施例】
【０００８】  図１から図７を参照して本実施例について具体的に説明すると、パイプ支持棒（１）の上端から、のぼり旗回動体（２）の下の斜面の凸（２ａ）部とのぼり旗回動体受け具（３）の斜面の凹（３ａ）部を合わせ、一体としてパイプ支持棒（１）に密着するように、のぼり旗回動体受け具（３）の鍔まで挿入、固定し、パイプ支持棒（１）を、のぼり旗（６）の縦の乳（７）を介してパイプ支持棒建て付け台（８）に固定し、のぼり旗回動体（２）に、のぼり旗（６）の上部の乳（７）を介して横棒（５）を取り付け、のぼり旗（６）の上部の幅に合わせ横棒（５）を横棒留めネジ（４）で固定した。
【符号の説明】
【０００９】１    パイプ支持棒
２    のぼり旗回動体
２ａ  のぼり旗回動体の凸部
２ｂ  のぼり旗回動体の飛び出し防止用突起
３    のぼり旗回動体受け具
３ａ  のぼり旗回動体の凹部
３ｂ  のぼり旗回動体のストッパー用突起
４    横棒留めネジ
５    横棒
６    のぼり旗
７    乳（支持棒と横棒に通すワッカ）
８    パイプ支持棒建て付け台
【図１】
0003196038.tif 000003
【図２】
0003196038.tif 000004
【図３】
0003196038.tif 000005
【図４】
0003196038.tif 000006
【図５】
0003196038.tif 000007
【図６】
0003196038.tif 000008
【図７】
0003196038.tif 000009
(57)【要約】      （修正有）【課題】上面に布団またはマットレスが載置されて使用され、通気性が向上し、カビが発生しにくくなるベッド用床板を提供する。【解決手段】上面に布団、または、マットレスが載置されて使用されるベッド用床板において、ベッド用床板は、一定の隙間を空けて複数本平行に配設された縦桟３と、厚み２〜５ｍｍ幅３５〜５０ｍｍの横桟２がスリット状に直交するように配設される。【選択図】図１
0003196036.tif 000002
【実用新案登録請求の範囲】
【請求項１】
上面に布団、または、マットレスが載置されて使用されるベッド用床板において、ベッド用床板は、一定の隙間を空けて複数本平行に配設された縦桟と、厚み２〜５ｍｍ幅３５〜５０ｍｍの横桟がスリット状に直交するように配設されたことを特徴とするベッド用床板。
【請求項２】
前記ベッド用床板において、横桟の一部または、全体が木製であることを特徴とする請求項１記載のベッド用床板。
【考案の詳細な説明】
【技術分野】
【０００１】本考案は、ベッド用床板に関するものである。
【背景技術】
【０００２】ベッドにおいては、布団やマットレスを、ベッド本体を構成する床板の上に載置して使用されるものがある。この床板には種々のタイプのものがあり、その一つとして縦桟と横桟により構成された簀子状床板がある。【０００３】布団、またはマットレスが載置されて使用されるベッド用床板において一定の隙間を空けて複数本平行に配設された横桟と、各横桟に直交するように配設された縦桟からなり、横桟上面のマットレス接触部分が横桟の長手の方向に凸凹形状を形成したものはあるが、これは、布団、または、マットレスから出る湿気が凹部に留まることになる。
【特許文献】特願  ２００１−２８２８８６
【０００４】床板は、下方に簀子を置き、その上方に組子を重ねて配置しているものもある。
【特許文献】特開２００７−０４４１６９
【０００５】布団、またはマットレスが載置されて使用されるベッド用床板において板桟と芯棒を配し、その上に細い竹で編んだ上敷きを敷いているものもあるが、これでは通気性が保たれにくい。
【特許文献】実開  昭６２−８５２４９
【考案の概要】
【考案が解決しようとする課題】
【０００６】人は布団、または、ベッドで就寝する場合、一晩で概ねコップ一杯分の汗をかくと言われている。その汗という湿気の一部は、蒸発もするが、敷いている布団、またはマットレスを通じ、下に流れていく。
その湿気は、布団、または、マットレスを支えている、簀子状板に伝わっていく。その際、その接する面が大きいと、湿気が分散しにくくなり、布団、またはマットレスに湿気が滞ったり、また、湿気でカビる原因にもなる。
【課題を解決するための手段】
【０００７】布団、またはマットレスとの接触面積を少なくする為に、ベッド用床板は、一定の隙間を空けて複数本平行に配設された縦桟と、
厚み２〜５ｍｍの薄い横桟をスリット状に直交するように配設した。
薄い横桟は強度を持たせる為に、幅３５〜５０ｍｍとする。
【考案の効果】
【０００８】布団、またはマットレスが接触する面が少なくなることにより、湿気が効率良く排出されることにより、カビが発生しにくく、使用者の健康増進に寄与する
【実施例】
【０００９】添付図面を用いて本考案の一実施例について以下に述べる。
図４はベッドの全景図である。図１に床板部分の構成を示し、図２には床板の部分拡大図を示す。床板部分に縦桟３を複数本平行に配置し、これと直交するように横桟２をスリット状に配設する。このとき横桟２の厚み３ｍｍの部分を天地部分になるように配置する。これにより布団またはマットレスとの接触面積が小さくなる。【００１０】一方、布団、マットレス、体重等の重量物を支えるための強度を得るために、横桟の幅方向の大きさを４０ｍｍとしている。【００１１】これにより布団、マットレスとの接触面積が小さく、必要な強度を備え、スリット状に配置されていることから布団、マットレスからの水分の放散が大きな床板を実現できる。【００１２】なお、本実施の形態では、床板１  に対して縦桟５本、横桟３２本が設置されているが、この数に限定するものではなく、ベッドの大きさや縦桟および横桟に必要な強度等により好適な数量を使用すればよい。
【図面の簡単な説明】
【図１】本発明にかかるベッド用床板の一つの実施形態を示す全体斜視図。
【図２】図１Ａ部の部分拡大図。
【図３】図１に示すベッド用床板の平面図。
【図４】図１に示すベッド用床板をベッドに設置した状態を示す斜視図。
【符号の説明】１  ベッド用床板本体
２  横桟
３  縦桟
４  ヘッドボード
５  フットボード
６  サイドフレーム
７  ベッド本体
【図１】
0003196036.tif 000003
【図２】
0003196036.tif 000004
【図３】
0003196036.tif 000005
【図４】
0003196036.tif 000006
(57)【要約】      （修正有）【課題】ＬＰガスボンベの容器本体の外周に、広告を表示してなる広告付きＬＰガスボンベを提供する。【解決手段】ＬＰガスボンベの容器本体２の側面に、広告を記載してなる広告体３を設けることを特徴とし、広告体３が、直接印刷、シール、垂れ幕の少なくとも一つであることを特徴とする。【選択図】図１
0003196032.tif 000002
【実用新案登録請求の範囲】
【請求項１】
ＬＰガスボンベの容器本体の側面に、広告を記載してなる広告体を設けることを特徴とする広告付ＬＰガスボンベ。
【請求項２】
広告体が直接印刷・シール・垂れ幕の少なくとも１つであることを特徴とする請求項１記載の広告付ＬＰガスボンベ。
【考案の詳細な説明】
【技術分野】
【０００１】  本考案は、ＬＰガスボンベの容器本体の外周に、広告を表示してなる広告付ＬＰガスボンベに関するものである。
【背景技術】
【０００２】  従来品の技術としては、バルブを保護する保護キャップを有するガスボンベにおいて、保護キャップは、周壁に開口部が設けられるとともに、保護キャップの外周面を覆う帯状ラベルを設けている。帯状ラベルは、開口部を通じて保護キャップの内部が視認可能な透明部を有している。帯状ラベルの表示部には、ガス製造業者の名称や製品紹介が印字されているものがある。（特許文献１参照）
【先行技術文献】
【特許文献】
【０００３】
【特許文献１】  実用新案登録第３１７２５５２号公報
【考案の概要】
【考案が解決しようとする課題】
【０００４】  上記従来の技術は、高圧ガスボンベの保護キャップに製品紹介や広告を印刷してなるもので、ＬＰガスボンベの容器本体に設けたものではなく、特に広告効果が少ない。【０００５】  本考案は、上記の問題点に鑑みなされたもので、ＬＰガスボンベの容器本体の外周に広告を設けることにより、色々な宣伝効果を有する広告付ＬＰガスボンベを提供することを目的とする。
【課題を解決するための手段】
【０００６】  本考案は、ＬＰガスボンベの容器本体の側面に、広告を記載してなる広告体を設けること。広告体が直接印刷・シール・垂れ幕の少なくとも１つであることを特徴とすることにより、問題を解決している。
【考案の効果】
【０００７】１）、ＬＰガスボンベの容器本体の外周に、色々な広告体を表示することにより、見た人に色々な情報を提供することができる。
２）、広告体の形態を色々選べることにより、お客様にあわせた広告を提供することができる。
【図面の簡単な説明】
【０００８】
【図１】本考案の広告付ＬＰガスボンベの第１実施例を示す正面図。
【図２】本考案の広告付ＬＰガスボンベの第２実施例を示す正面図。
【考案の実施するための形態】
【０００９】  広告付ＬＰガスボンベ１は、ＬＰガスボンベの容器本体２の外周に広告文３ａを印刷したシールによる広告体３を貼り付けてある。
【００１０】  これは、長期間使用するのに適しており、必要に応じて剥したり、上から別の広告体を貼り付けることもできる。
【００１１】  広告付ＬＰガスボンベ２１は、ＬＰガスボンベの容器本体２２の外周に、広告表示シート２３ａの上下に取付紐２３ｂ・２３ｃを設けてある。
【００１２】  これは、上下の取付紐２３ｂ・２３ｃにて外周に、着脱自在に取り付けられるもので、短期的な広告に適している。
【００１３】  なお、上記各実施例において広告体の大きさや材質等は特に限定しない。
また、容器本体の外周に直接印刷してもよい。
【産業上の利用分野】
【００１４】  本考案は、一般家庭や飲食店等に取り付けられているＬＰガスボンベの外周を広告体として使用するもので、スペースを有効利用すると共に、色々な情報を提供できる。
【符号の説明】
【００１５】１―――広告付ＬＰガスボンベ
２―――容器本体
３ａ――広告文
３―――広告体
【図１】
0003196032.tif 000003
【図２】
0003196032.tif 000004
(57)【要約】      （修正有）【課題】磁力を利用して折り畳み自転車の折り畳み状態を固定する機構において、折り畳み状態を維持する際には不用意にはずれないように強い吸着力を有し、一方、折り畳みを開放するときには弱い力で容易に開放出来るようにした折り畳み自転車用の折り畳み固定機構を提供する。【解決手段】磁力を利用して折り畳み状態を固定する際に、一方の磁力吸着面は動かないように固定して自転車に取り付け、他方の吸着面は前後左右に動く、いわゆる首ふり状態で取り付けられた構造において、首ふり吸着面側に必要充分な長さのレバーを取り付け、レバーを動かすと、吸着面の一端を支点にしてテコの原理で他端が浮き上がり、弱い力でも容易に折り畳み固定を開放出来る構造を特徴とする。【選択図】図２
0003196062.tif 000002
【実用新案登録請求の範囲】
【請求項１】
磁力を利用して折り畳み状態を固定する際に、一方の磁力吸着面は動かないように固定して自転車に取り付け、他方の吸着面は前後左右に動く、いわゆる首ふり状態で取り付けられた構造において、首ふり吸着面側にレバーを取り付け、レバーを動かすと、吸着面の一端を支点にしてテコの原理で他端が浮き上がり、弱い力でも容易に折り畳み固定を開放できる構造を特徴とする折り畳み自転車用の折り畳み固定機構。
【考案の詳細な説明】
【技術分野】
【０００１】
本考案は折り畳み自転車用の折り畳み固定機構に関するものである。
【背景技術】
【０００２】
前輪を折り畳んで横方向から後輪へ折り重ねる方式の折り畳み自転車において、折り畳んだ状態を保持するために、磁石の吸着力を利用して固定する方式が広く採用されている。
この磁石吸着方式は、折り畳み固定の時は不用意に外れないように十分な吸着強さが必要であり、一方、元の走行状態へ折り畳みを開放する時は、弱い力で簡単に吸着を引き離せることが望ましい。
【０００３】
しかし、ひとつの吸着力でこのように相反する要素の両立は難しく、両方不十分か、どちらかが犠牲になるという問題点がある。
【考案の概要】
【考案が解決しようとする課題】
【０００４】
以上のような従来の難点に鑑み、前述の磁力による吸着力は折り畳み時には不用意に外れないように十分な強さを持たせ、一方、自転車を元の走行状態に広げる時には弱い力で簡単に吸着を引き離せる折り畳み自転車用の折り畳み固定機構の提供を目的としている。
【課題を解決するための手段】
【０００５】
磁力を利用して折り畳み状態を固定する際に、一方の磁力吸着面は動かないように固定して自転車に取り付け、他方の吸着面は前後左右に動く、いわゆる首ふり状態で取り付けられた構造において、首ふり吸着面側に必要充分な長さのレバーを取り付け、レバーを動かすと、吸着面の一端を支点にしてテコの原理で他端が浮き上がり、弱い力でも容易に折り畳み固定を開放出来る構造を特徴とする折り畳み自転車用の折り畳み固定機構。
【図面の簡単な説明】
【０００６】
【図１】実施例１の部品構成図
【図２】実施例１の組立および動作概念図
【図３】実施例２の概念図
【考案を実施するための形態】
【０００７】
磁力を利用した固定機構において、不用意に外れない十分な吸着力を持たせると、元の走行状態に戻す時に、折り畳みの固定を引き離す為には非常に大きな力が要る。
そこで、磁力は吸着面の間隔が少しでも離れると急激にその吸着力が弱まることに着目し、吸着面の一端を支点にしてテコの原理を利用し、小さな力によって支点と反対側の吸着面を少しだけ浮かせて、弱い力でも両者を容易に引き離せることに着眼して考案されたものであり、以下にその実施例を示す。
【０００８】
図１に、実施例１の構成部品を示す。
鉄円板４は部品A １に、マグネット円板５は部品B ２に、スプリング６および止めネジ７は部品C ３にそれぞれ組み込むためのものである。
止めねじ７が貫通する部品B ２の丸い小穴は、止めネジ７の直径より十分大きく（いわゆるバカ穴）、また部品B ２の突起部分が差し込まれる部品C ３の穴直径は部品B ２の突起部分の直径より十分大きい（ここもバカ穴）ことが特徴である。
【０００９】
図２は、実施例１の組立および動作概念図を示している。
図2(a)は、部品A １、部品B ２および部品C ３を組み立て、鉄円板４とマグネット円板５がピタッと吸着した状態を示している。
前項の特徴により、部品B ２は部品C ３に対し前後左右に首ふり状態にあり、図２(b)に示すように部品B ２のレバーを矢印の方向に軽い力で動かすと、マグネット円板５の一端を支点にしてテコの原理で他端が浮き上がる。
この状態になれば、弱い力でも容易に磁力吸着を引き離して折り畳みを開放出来る。
【００１０】
図３は、実施例１をよりスマートな形にした実施例2の概念図を示している。
図３に示すように、概念的には実施例1の部品C ３の側面にレバーを貫通させる広めの窓穴を空け、その窓穴からレバーを挿入して部品B ２の突起部分に圧入固定したもので、実施例２も首ふり部分である部品B ２にレバーを固定させ、テコの原理で吸着面に隙間を作るという点では本考案の概念と全く同じである。
【００１１】
元々、部品A １と部品C ３の取り付けられる自転車側の平面平行精度の確保が難しいため、片方を首ふり状態にし、吸着面の平行精度を補正して磁力でピタッと吸着させる折り畳み固定方式はすでに実用化されている。
本考案は、その首ふり側に長い柄のレバーを取り付けるという簡単な構造で、折り畳みの固定は強い吸着力で十分な強度を確保し、また折り畳みの開放は弱い力で容易に押し広げられるという両立を可能にしたものである。
【産業上の利用可能性】
【００１２】
本考案は、折り畳み自転車の折り畳み固定機構を製造する産業で利用される。
【符号の説明】
【００１３】
１  部品A
２  部品B
３  部品C
４  鉄円板
５  マグネット円板
６  スプリング
７  止めネジ
【図１】
0003196062.tif 000003
【図２】
0003196062.tif 000004
【図３】
0003196062.tif 000005
(57)【要約】      （修正有）【課題】小鳥の鳴き声に近く、意匠性に優れたバードコールを提供する。【解決手段】めねじ部２１を有する木部２０と、おねじ部１２を有する金属部１０とを備え、金属部１０のおねじ部１２を木部２０のめねじ部２１に回動可能に装着した状態で、金属部１０と木部２０とを相対的に回すと鳥の鳴き声に模した音がでるものであり、金属部１０は本体部１１とおねじ部１２からなり、少なくとも本体部１１が銅合金からなる。【選択図】図１
0003196050.tif 000002
【実用新案登録請求の範囲】
【請求項１】
めねじ部を有する木部と、おねじ部を有する金属部とを備え、
前記金属部のおねじ部を木部のめねじ部に回動可能に装着した状態で、金属部と木部とを相対的に回すと鳥の鳴き声に模した音がでるものであり、前記金属部は本体部とおねじ部からなり、少なくとも本体部が銅合金からなることを特徴とするバードコール。
【請求項２】
前記木部は自立可能であり、
前記本体部は青銅又は黄銅からなる鋳物であることを特徴とする請求項１記載のバードコール。
【請求項３】
前記金属部のおねじ部は本体部側につば部を有することを特徴とする請求項１又は２記載のバードコール。
【請求項４】
前記金属部は、栓抜き部を有することを特徴とする請求項１〜３のいずれかに記載のバードコール。
【考案の詳細な説明】
【技術分野】
【０００１】
本考案は、鳥の鳴き声に模した音がでるバードコールに関する。
【背景技術】
【０００２】
鳥の鳴き声を模した小鳥玩具は古くから存在するが、意匠性に劣り、また小鳥の鳴き声としてはあまり近いものではなかった。
【先行技術文献】
【特許文献】
【０００３】
【特許文献１】実用新案出願公告第９６６７号公報
【特許文献２】実用新案出願公告第１１７９５号公報
【特許文献３】登録実用新案第１８３１０号公報
【考案の開示】
【考案が解決しようとする課題】
【０００４】
本考案は、小鳥の鳴き声に近く、意匠性に優れたバードコールの提供を目的とする。
【課題を解決するための手段】
【０００５】
本考案に係るバードコールは、めねじ部を有する木部と、おねじ部を有する金属部とを備え、前記金属部のおねじ部を木部のめねじ部に回動可能に装着した状態で、金属部と木部とを相対的に回すと鳥の鳴き声に模した音がでるものであり、前記金属部は本体部とおねじ部からなり、少なくとも本体部が銅合金からなることを特徴とする。
ここで、木部は自立可能であり、前記本体部は青銅又は黄銅からなる鋳物であってもよい。
本考案において、金属部の本体部とおねじ部とは必ずしも一体である必要はなく、金属製のおねじシャフトを本体部の鋳造時に鋳込み連結してもよい。
また、おねじ部の本体部側につば部を設けることで、ねじ込み量を制限してもよい。
【０００６】
金属部の形状は、青銅，黄銅等にて小鳥の模した像形状にすると意匠性に優れるので、置物としても使用でき、また机やテーブルの上に置いておき、心身のリラックス用に小鳥の鳴き声のように鳴らしてもよい。
さらには、金属部に栓抜き部等の多機能を有するようにしてもよい。
【０００７】
木部は、桜やクワ等の木の小枝等、天然木を用いるのが好ましい。
めねじ部は、金属部のおねじ部を回すときの摩擦により、小鳥の鳴き声に模した音がでるように、やや緩く寸法設計してある。
【考案の効果】
【０００８】
本考案にあっては、金属部を銅合金にて製作したので、小鳥やその他の動物、あるいは子供等の各種像形状に製作でき、意匠性に優れる。
【図面の簡単な説明】
【０００９】
【図１】本考案に係るバードコールの例を示す。（ａ）は金属部を木部に装着した状態を示し、（ｂ）は分離した状態を示す。
【図２】金属部に栓抜き部を設けた例を示す。
【考案を実施するための最良の形態】
【００１０】
本考案に係るバードコールにおいて、金属部を小鳥の形状に像成型した例にて以下説明するが、金属部の像形状に制限はない。
【００１１】
バードコールは、金属部１０と木部２０とからなる。
木部２０は、木の小枝等の天然木を切断して製作した例となっているが、木材を用いたものであれば、形状に制限はない。
木部は、上面側にめねじ部２１を形成してあり、底面は自立できるように平面状になっている。
なお、図２に示した実施例は金属部１０に栓抜き部１４を形成した例になっている。
【符号の説明】
【００１２】
１０      金属部
１１      本体部
１２      おねじ部
１３      つば部
１４      栓抜き部
２０      木部
２１      めねじ部
【図１】
0003196050.tif 000003
【図２】
0003196050.tif 000004
(57)【要約】      （修正有）【課題】明かりを取り入れる窓を付けた骨壺を提供する。【解決手段】骨壺１の壁面に、半透明の窓２を設けて骨壺１内部に光が入るようにする。【選択図】図１
0003196013.tif 000002
【実用新案登録請求の範囲】
【請求項１】
陶磁器製骨壺の壁面・上面に半透明の窓を設けたもの。
【考案の詳細な説明】
【技術分野】
【０００１】この考案は焼き物、すなわち陶磁器製骨壺の壁面に、半透明の窓を設けて骨壺内部に光が入るようにしたものである。
【背景技術】
【０００２】従来のものは、骨壺に納骨して蓋をすると内部は真っ暗である。
【考案の概要】
【考案が解決しようとする課題】
【０００４】従来、遺骨を骨壺に納める場合、「故人が真っ暗なところに入れられ、かわいそう」というイメージがあった。
本考案は、このような欠点を解消するためになされたものである。
【課題を解決するための手段】
【０００５】骨壺の壁に半透明の窓を設け、外部の明かりが骨壺内に入るようにする。
本考案は、以上の構造よりなる窓付き骨壺である。
【考案の効果】
【０００６】半透明の窓によって明かりが骨壺内に入り、「故人が真っ暗闇の中にいるのが可愛そう」という感情を和らげることができる。
骨壺内の温度が上がり、「温かそう」というイメージが生じる。
【図面の簡単な説明】
【０００７】
【図１】本考案の斜視図である。
【図２】本考案の断面図である。
【考案を実施するための形態】
【０００８】以下、本考案を実施するための形態について説明する。
磁器質の素地に透かし彫りをして、素焼後、半透明で粘りのある釉原料などを熔填し、焼き上げると、その透かし彫りに埋め込んだ部分の半透明の模様が光を通して浮き出す。
このような技法を骨壺の壁面に用いたものである。
【符号の説明】
【０００９】１、骨壺
２、窓
【図１】
0003196013.tif 000003
【図２】
0003196013.tif 000004
(57)【要約】      （修正有）【課題】コンクリートの地中に、打込んで二輪車の防犯に使用する二輪車防犯ロープ掛けを提供する。【解決手段】円形の輪２を溶接した鉄筋棒１をコンクリートの地中に固定し、円形の輪に防犯ロープの片方を取付け、別の片方を二輪車に取付け、防犯することを特徴とする。【選択図】図２
0003196014.tif 000002
【実用新案登録請求の範囲】
【請求項１】
鉄筋棒に、円形の輪を溶接した、二輪車防犯ロープ掛け。
【考案の詳細な説明】
【技術分野】
【０００１】本考案は、二輪車の防犯治具に関するものである。
【背景技術】
【０００２】防犯ロープを取付る場合、柱等が必要であった。
【考案の開示】
【考案が解決しようとする課題】
【０００３】柱等を必要とせず、確実に防犯でき前途の欠点を解決しようとするものである。
【課題を解決しようとする手段】
【０００４】本考案は、鉄筋の棒に円形の輪を溶接し、問題点を解決している。
【考案の効果】
【０００５】上途の様に、棒をコンクリートの面に打込み接着するだけで防犯用ロープを簡単に取付ることができ、防犯に役立つ。
【考案を実施するための最良の形態】
【０００６】鉄筋棒の先に円形の輪を溶接し形態を簡略化している。
【実施例】
【０００７】以下、添付図に従って実施例を説明する。１は、鉄筋棒  ２は、円形の輪で鉄筋と溶接する。３は、接着セメント、これでコンクリートの穴と接着する。【０００８】本考案の実施例は、上途の如き構成からなるものであり二輪車の防犯に用いる。
【図面の簡単な説明】
【０００９】
【図１】  平面図
【図２】  正面図
【図３】  実施例図
【符号の説明】
【００１０】１、鉄筋棒
２、鉄の輪
３、接着セメント
【図１】
0003196014.tif 000003
【図２】
0003196014.tif 000004
【図３】
0003196014.tif 000005
(57)【要約】      （修正有）【課題】車いすに座ったまま下腿を包み込むことができ、冷気の吹き込みや風による捲れを防止する車いす利用者向けの膝掛けを提供する。【解決手段】膝掛け本体１の形状をＬ字型とし、縦長の上部で大腿部を覆い、横長の下部は下腿の後ろを通し、包み込むようにする。下部の両端にはスナップボタン等の留め具２を付けておき、相互に合わせて留めることで袋状に固定できる。これにより冷気の吹き込みや風による捲れを防止でき、保温性を確保できる。留め具の位置が下肢の脇にあるため、装着・取り外しも容易となる。【選択図】図１
0003196085.tif 000002
【実用新案登録請求の範囲】
【請求項１】
Ｌ字型に開く膝掛けであり、縦長の上部で大腿部を覆い、横長の下部で下腿を包み込むことを特徴とした、車いす利用者向けの膝掛け。
【考案の詳細な説明】
【技術分野】
【０００１】
本考案は、車いす利用者向けの、装着容易性を確保したＬ字型膝掛けに関するものである。
【背景技術】
【０００２】
従来、車いす用の膝掛けとしては、車いすに予めセッティングして両下肢全体を包み込む、あるいは凸型の形状で下腿を包み込むタイプ、また車いすのグリップ部等に引っ掛けるゴム紐等を付けることで、ずり落ちを防止するタイプなどがあった。
【０００３】
しかし車いすに予めセッティングするタイプでは、立位保持が困難な人に対しての配慮がされているものの、車いす移乗時の装着及び取り外しに介護の手間がかかっていた。
【０００４】
また凸型形状で下腿を包むタイプでは、留める位置が下腿の裏になることから、やはり介護のやりづらさがあった。
【０００５】
さらに、車いすのグリップ等にゴム紐等を引っ掛けるタイプでは、単にずり落ちを防止する機能のみで、風による捲れの防止など、保温性を確保する効果はなかった。
【先行技術文献】
【特許文献】
【０００６】
【特許文献１】特開２００６−２４９６４０号公報
【特許文献２】特開平１０−１５１１５６号公報
【考案の概要】
【考案が解決しようとする課題】
【０００７】
解決しようとする問題点は、下肢が冷えやすい車いす利用者向けの膝掛けにおいて、冷気の吹き込みや風による捲れを防止するために膝から下の下腿を包み込む方法を、車いす利用者もしくは介助者が、容易に装着及び取り外せるようにするという点にある。
【課題を解決するための手段】
【０００８】
本考案は、Ｌ字型の膝掛けを用いて、車いすに座ったまま下腿を包み込むことができる形状を特徴とする。
【考案の効果】
【０００９】
本考案のＬ字型膝掛けは、下部の帯で下腿を包み、端の留め具で固定することにより、冷気の吹き込みや風による捲れを防止できる。またその操作が下腿の脇で行えるため、装着及び取り外しが容易に行える。
【図面の簡単な説明】
【００１０】
【図１】図１はＬ字型膝掛けの形状を示した説明図である。（実施例１）
【図２】図２はＬ字型膝掛けの使用方法を示した説明図である。（実施例２）
【考案を実施するための形態】
【００１１】
実施にあたっては、生地を二つ折りに合わせた状態で、下腿を包む下部だけが開くようにすることでＬ字の形状となる。下部の両端にスナップボタン等の留め具を付ける。介助者が右利きである想定では、留め具の位置を車いす利用者の左脇にくるようにする。留め具位置に幅を持たせることで、好みの調整が行える。
【実施例１】
【００１２】
図１は、本考案膝掛けの形状の説明図であって、１〜２は、図２と同様である。
【実施例２】
【００１３】
図２は、実際の使用方法の説明図である。縦長の上部で大腿部を覆い、横長の下部で下腿を包み留め具を留める。
【産業上の利用可能性】
【００１４】
一般に、大腿部の方が冷えを感じやすいが、生地を二つ折りに合わせることで、上部の大腿部を覆う部分は二重になり保温効果が高まる。膝から下については、冷気の吹き込みや風による捲れを防止する。Ｌ字の形状にすることで、上部と下部に応じた機能を備えることになり、車いす用膝掛けとしての新たな定型となる。
【符号の説明】
【００１５】
１    膝掛け本体
２    留め具
【図１】
0003196085.tif 000003
【図２】
0003196085.tif 000004
(57)【要約】【課題】想定を上回る波高の高い津波や洪水等に襲われても水没し流失することもなく避難者の安全を保つことが可能な津波避難ホームを提供する。【解決手段】避難ホームは津波の波高や浸水による水深とはかかわりなく水面上に浮上し水没を免れ、地上と結ばれている鎖により流失を免れることができる。地上等から伸びるパイプ状の支柱に支えられている避難ホームは、水深の変動にともない支柱に沿って上下するだけで流失を免れる。また、支柱の高さをさらに上回る波高の大津波に襲われたときは、支柱から抜け出し、水没することなく海面を漂流し、ＧＰＳ等により所在を確認し回収救助することができる。避難ホームは、低地の住宅近隣地等に設置することができるので高齢者等の避難が容易で、身近な避難所として気軽に避難することができる。【選択図】図２
0003196028.tif 000002
【実用新案登録請求の範囲】
【請求項１】
津波避難者を内部に収容できる円盤形のスペースとこれに接続する十分な長さを保持する流失防止の鎖、乃至、該スペースの中央部を下から貫通する地上から上に伸びるパイプ状の支柱からなる浮上式津波避難ホームにおいて、その周辺部への津波の流入による浸水で浮力により水面上に浮上し水没を免れ、流失防止の鎖、乃至はパイプ状の支柱により流水による流失を免れることができることを特徴とする津波避難用施設。
【考案の詳細な説明】
【技術分野】
【０００１】当該浮上式津波避難ホームは低地の住宅近隣地等に設置され、津波や河川の氾濫、洪水による浸水被害に備えて人々が避難することができる安全な避難用施設である。
【背景技術】
【０００２】地震による津波の襲来や大雨による河川の氾濫等による災害発生に備えて津波常襲地帯の海岸には防潮堤が設置され、また、河川の堤防や河口などの水門が閉鎖されるといった防災措置がとられる一方で、住民たちは高台の避難所をはじめ津波避難タワーや高いビルに避難して浸水からの難を逃れることになっている。
【考案の概要】
【０００３】ノアの箱舟をイメージした当該浮上式津波避難ホーム（以下、「避難ホーム」と呼ぶ）は津波等の水害からの避難者を内部に収容できる円盤形のスペースで、低地の住宅近隣地等に設置され、津波や河川の氾濫、洪水による浸水で水面上に浮上し水没を免れ、該避難ホームに取り付けられるなどしている鎖やパイプ状の支柱により流失を免れることのできる避難用施設である。
【考案が解決しようとする課題】
【０００４】東日本大震災の想定外といわれた大津波は、海岸に設置されていた防潮堤を破壊乃至乗り越えて住宅等すべてを押し流し、避難用施設が水没したり、また、避難用施設が高台で遠かったりして逃げ遅れた多くの犠牲者を出しており、今後に予想される大津波等による水害で同様の被害が出る恐れがある。【０００５】過去に東南海地震や南海地震など大津波による被害が出ている西日本各地には津波避難タワーが設置されているもののその高さが十分でなく想定外の高い波高で水没する不安を抱えており津波避難タワーの設置基準の見直しや建て替えが求められている。【０００６】大雨による河川の氾濫等による水害が国内各地で起きており、避難所が浸水したり流されたり高齢者が逃げ遅れて死亡するなどの被害が毎年のように出ている。
【課題を解決するための手段】
【０００７】この考案は、その欠点をおぎなうために考え出されたもので、地上に設置する該避難ホームは津波による海水や河川の氾濫等による浸水で浮力により水面に浮上できるので水深とはかかわりなく水面上に浮上し水没を免れる。【０００８】該避難ホームと地上等とを十分の長さを保持する流失防止の鎖で接続し、或いは地上等から上に伸びるパイブ状の支柱が該避難ホームの中央部等を貫通しているので該避難ホームは水深の変動にともない支柱に沿って上下するだけで水流による流失を免れる。【０００９】流失防止の鎖や支柱の高さをさらに上回る波高の大津波に襲われたときは、該避難ホームは鎖をはずし、または支柱から抜け出し水没することなく海面を漂流し、ＧＰＳ等により所在を確認し回収救助することができる。【００１０】該避難ホームは、低地の平野部や海岸、池の水面等の住宅近隣地に設置することができるので高齢者やこどもなどの迅速な避難を可能にする。
【考案の効果】
【００１１】該避難ホームは、想定を上回る波高の高い津波や洪水等に襲われても上記［０００７］［０００８］の機能を備えているので水没し流失することもなく避難者の安全を保つことが可能で、海岸部の高台等に設置されている従来の津波避難タワーとしての役割を果たすことができる。【００１２】該避難ホームは、平野部の住宅近隣地に設置することができるので、高齢者や病人、乳幼児等の災害弱者の迅速な避難が可能になる。【００１３】該避難ホームの小型の施設は、海岸や河口、港湾の施設等に設置、乃至車両に積載移動が可能で、港湾等の緊急防災業務に携わる消防や警察等関係者の緊急避難所として利用できる。
【図面の簡単な説明】
【００１４】
【図１】地上に設置されたパイプ状の支柱をともなう浮上式津波避難ホームの説明図。
【図２】津波による海水で浮上した浮上式津波避難ホームの説明図。
【図１】
0003196028.tif 000003
【図２】
0003196028.tif 000004
(57)【要約】      （修正有）【課題】葱の葉の中に含まれる液体を取るために、肉体的な負担もなく、時間の無駄もなくなる器具を提供する。【解決手段】傾斜した台１の下部に格子状の棒２を取りつけた器具の上に、葉先を切った葱の葉を下側にして載せることにより、葱はずり落ちることがなく葉の中にある液体が自然と滴り落ちる。【選択図】図１
0003196025.tif 000002
【実用新案登録請求の範囲】
【請求項１】
傾斜した台の下側に格子状の棒を取りつけた器具
【考案の詳細な説明】
【考案の開示】
【考案が解決しようとする課題】
【０００１】  葱の収穫は堀取った葱を束ね、適度な長さに葉を切りそろえ運搬し、出荷のため皮むき作業を行なう。
葱の筒状の葉の中には液状の水分が含まれていて、品種によってはその量が多いものもあり、出荷の際に紙製の段ボールに詰めるとその液がにじみ出て葱を汚したり、段ボールが湿ってつぶれたり破損したりしてしまう。
そのため、葉を切った葱の束を抱えて逆さまにして葉の中の液体を出すということをしなければならないが、その体勢を保つことは肉体的にも大変で、またその時間も多くかかっていた。
【課題を解決するための手段】
【０００２】  傾斜した台に葉の切り口を下にして置き、その台の下側に取り付けた格子状の細い棒により葱が滑り落ちることもなく、葉の中から自然と液体が滴り落ちる。
【考案の効果】
【０００３】  この台に葱を置くことで肉体的な負担もなく、持ち続けることの時間の無駄もなくなる。
【図面の簡単な説明】
【図１】  台の斜視図
【図２】  台の側面図
【図３】  使用例図
【符号の説明】  １は傾斜した台
２は格子状の棒
【図１】
0003196025.tif 000003
【図２】
0003196025.tif 000004
【図３】
0003196025.tif 000005
(57)【要約】      （修正有）【課題】加齢で握力が落ちた方や片腕の方でも自分で安心して爪を切ることができる爪切り補助台を提供する。【解決手段】爪切りの支点２を四角の形をした爪切り補助台１に固定させ、先端に額支え棒４をつけた作用点補助棒を作用点３に取り付け、作用点補助棒を手または額で前に押すことで容易に爪を切ることができる。【選択図】図１
0003196023.tif 000002
【実用新案登録請求の範囲】
【請求項１】
爪切りの支点部分を四角の形をした爪切り補助台に固定させ、先端に額支え棒をつけた作用点補助棒を作用点に取り付け、手または額で前に押すことで爪が切れることを特徴とする補助台。
【考案の詳細な説明】
【技術分野】
【０００１】本考案は片腕の人や加齢で指の握力が衰えても爪が切れる補助台である。
【背景技術】
【０００２】今までは自分で切れず他の人に切ってもらうしかなかった。
【考案の概要】
【考案が解決しようとする課題】
【０００３】爪切りに補助棒をつけてこの応用を利用し容易に爪を切ることができる。
【課題を解決するための手段】
【０００４】本考案は爪切りの支点の部分を固定して作用点の部分に補助棒をつけることで解決している。
【考案の効果】
【０００５】本考案は爪切り補助棒に爪切りの支点の部分を固定し、作用点に補助棒をつけることで指の握力を使わなくても爪を切れることで精神的に満足していただける。
【図面の簡単な説明】
【０００６】
【図１】斜め横から見た図
【図２】爪切りを横から見た図
【考案を実施するための形態】
【０００７】爪切り補助台をななめ横から見ると、爪切り補助台に爪切りの支点が固定され作用点の部分に額支え棒が装着し補助棒がついている。
【実施例】
【０００８】本体は耐久性と加工性に優れた木材による爪切り補助台で
▲１▼爪切り補助台に▲２▼支点を固定し▲３▼作用点の部分に▲４▼額支え棒を先端につけた▲５▼作用点補助棒を前に押すことで爪がきれる。
【符号の説明】
【０００９】▲１▼爪切り補助台  ▲２▼支点  ▲３▼作用点  ▲４▼額支え棒  ▲５▼作用点補助棒
【図１】
0003196023.tif 000003
【図２】
0003196023.tif 000004
(57)【要約】      （修正有）【課題】ファイル表紙の腰折れ、縦置き横並び不整列を防止することが出来る、後付け後ろ背表紙を提供する。【解決手段】後ろ背表紙となる部位の両側に折り返し部１、９を設け、折り返し部１、９の一方を既製ファイルの見開き部に取付けることによって新たな後ろ背表紙２を構成し、既製ファイルの補強並びに厚みを保持することを特徴とする。【選択図】図４
0003196009.tif 000002
【実用新案登録請求の範囲】
【請求項１】
ファイル表紙の補強並びにファイル厚みを保持することを特徴とする、後付け後ろ背表紙。
【考案の詳細な説明】
【技術分野】
【０００１】  本考案は、書類等を綴じるファイル表紙に関するものである。
【背景技術】
【０００２】  従来、書類等はファイル表紙を用いて綴じ、本立てやキャビネット等に縦置き横並びに保管してきた。しかし、綴じた書類等の厚みによっては、前背表紙側と後ろ側の厚みに差異を生じ、前背表紙側が厚く後ろ側が薄い場合には、縦置き横並び整列が弧を描いてしまい、その為に縦置き横並びが不整列となって見苦しく、またファイル表紙の強度不足によっては腰折れを生じさせる要因にもなっていた。【０００３】  従来、上記の事項に関しては途中にブックエンドや仕切り板等を設けて対処していたが、縦置き横並び不整列及び表紙の強度不足による腰折れを防ぐことは困難であった。
【先行技術文献】
【特許文献】
【０００４】
【特許文献１】  特開２０１２−１７１３５２  公報
【０００５】
【特許文献２】  特開２０１２−２０６４９４  公報
【考案の概要】
【考案が解決しようとする課題】
【０００６】  本考案は、以上のような従来のファイル表紙の強度不足に鑑み、ファイル表紙を補強し、縦置き横並び不整列やファイルの腰折れを防止する、ファイル表紙補強材としての後付け後ろ背表紙を提供することを目的としている。
【課題を解決するための手段】
【０００７】  上記目的を達成するために、本考案は既存ファイル表紙の欠点である縦置き横並び不整列及び腰折れを防止するための後付け後ろ背表紙を構成している。
【考案の効果】
【０００８】  以上の説明から明らかなように、本考案にあっては、次に列挙する効果が得られる。【０００９】（１）後付け後ろ背表紙を既存ファイル表紙に取付けることにより、既存ファイル表紙の強度が増す。【００１０】（２）後付け後ろ背表紙を既存ファイル表紙に取付けることにより、ファイルの厚みが前後同じになる。【００１１】（３）（１）と（２）により既存ファイル表紙の腰折れ及び横並び不整列を防止する効果が得られる。
【図面の簡単な説明】
【００１２】
【図１】本考案を実施する為の最良の形態、後付け後ろ背表紙表面平面図である。
【図２】本考案を実施する為の最良の形態、後付け後ろ背表紙裏面平面図である。
【図３】本考案を実施する為の最良の形態、後付け後ろ背表紙の立面姿図である。
【図４】本考案を実施する為の最良の形態、後付け後ろ背表紙を既存ファイル表紙内面に取付けた、立面展開姿図である。
【図５】本考案を実施する為の最良の形態、後付け後ろ背表紙を既存ファイル表紙内面に取付け、閉じた状態の立面姿図である。
【考案を実施するための形態】
【００１３】  以下、本考案の実施の形態を図に基づいて説明する。
【実施例１】
【００１４】  図１は、本考案の後付け後ろ背表紙表面の平面図で、中に折り返す１．折り返し表イ、２．背表紙表、既存ファイル取付け用の３．折り返し表ロにより構成される。
３．折り返し表ロには、既存ファイル内面取付け用６．接着剤塗布があらかじめ施されている。各部は山折れ部により区分される。
【実施例２】
【００１５】  図２は、本考案の後付け後ろ背表紙裏面の平面図で、７．折り返し裏イ、８．背表紙裏、９．折り返し裏ロにより構成され、各部は谷折れ部により区分される。
【実施例３】
【００１６】  図３は、本考案の後付け後ろ背表紙を組み立て、自立させた立面姿図である。
【実施例４】
【００１７】  図４は、本考案の後付け後ろ背表紙を組み立て、既存ファイル表紙内面に取付け、自立させた立面展開姿図である。
【実施例５】
【００１８】  図５は、本考案の後付け後ろ背表紙を組み立て、既存ファイル表紙内面に取付け、自立させた立面姿図である。
【産業上の利用可能性】
【００１９】  本考案は、事務所、工場、学校、その他家庭等で広く利用される。
【符号の説明】
【００２０】  １  折り返し表イ
２  背表紙表
３  折り返し表ロ
４  山折れ部イ
５  山折れ部ロ
６  接着剤塗布部
７  折り返し裏イ
８  背表紙裏
９  折り返し裏ロ
１０  谷折れ部イ
１１  谷折れ部ロ
【図１】
0003196009.tif 000003
【図２】
0003196009.tif 000004
【図３】
0003196009.tif 000005
【図４】
0003196009.tif 000006
【図５】
0003196009.tif 000007
【手続補正書】
【提出日】平成26年11月21日(2014.11.21)
【手続補正１】
【補正対象書類名】実用新案登録請求の範囲
【補正対象項目名】全文
【補正方法】変更
【補正の内容】
【実用新案登録請求の範囲】
【請求項１】
後ろ背表紙となる部位の両側に折り返し部を設け、折り返し部の一方を既製ファイルの見開き部に取付けることによって新たな後ろ背表紙を構成し、既製ファイルの補強並びに厚みを保持することを特徴とする、後付け後ろ背表紙。